(57)【要約】      （修正有）【課題】１枚のペチコートで、丈や裾のデザインを容易に変更可能な構成を提供する。【解決手段】ペチコート１は、ペチコート本体２１と、ペチコート本体２１の裾側に取り付けられた裾部材３と、裾部材３と交換可能な他の裾部材３ａと、を備え、裾部材３は、ペチコート本体２１に雌雄スナップで取り付けられている。【選択図】図１
0003225971.tif 000002
【実用新案登録請求の範囲】
【請求項１】
ペチコート本体と、
前記ペチコート本体の裾側に取り付けられた裾部材と、
前記裾部材と交換可能な他の裾部材と、を備えたペチコート。
【請求項２】
前記裾部材は、前記ペチコート本体に雌雄スナップで取り付けられている、請求項１に記載のペチコート。
【考案の詳細な説明】
【技術分野】
【０００１】
本考案は、裾部分を容易に交換可能なペチコートに関する。
【背景技術】
【０００２】
スカートのようなアウターウェアの内側に着用するスリップやペチコート等のインナーウェアは、アウターウェアの丈に応じた丈のものを着用するのが好ましい。そこで、丈を調整することができるインナーウェアが望まれている。特許文献１には、丈が調整できるスリップが開示されている。このスリップでは、キャミソールとペチコートとを連結したり分割したりすることで、スリップの丈を変えることができる。
【先行技術文献】
【特許文献】
【０００３】
【特許文献１】実公昭５０−４０６４９号公報
【考案の概要】
【考案が解決しようとする課題】
【０００４】
上述のスリップでは、キャミソールの下端とペチコートの上端にそれぞれレースが取り付けられていて、レースのリングに意匠紐を挿通したり、これを引き抜くことで、キャミソールとペチコートとを連結したり、分離したりできるようになっている。この構成では、キャミソールとペチコートの連結・分離が煩雑である上に、レースでペチコートを支持するため、レース部分が傷みやすくなる可能性がある。また、スリップの丈を多様な長さに調整するためには、上端がレースで構成された何枚ものペチコートを所持する必要がある。
【０００５】
ところで、ペチコートには、意図的にアウターウェアの丈よりも長いものを着用して、ペチコートの裾側をスカートの下側から露出させる着用方法がある。このような着用方法の場合、ペチコートは、丈が調整できるとともに、裾側のデザインが変更できることが望まれる。
【０００６】
本考案は、このような事情に鑑みてなされたものであり、１つのペチコートで、丈や裾のデザインを容易に変更可能な構成を提供することを目的とする。
【課題を解決するための手段】
【０００７】
上記課題を解決するために、本考案に係るペチコートは、ペチコート本体と、前記ペチコート本体の裾側に取り付けられた裾部材と、前記裾部材と交換可能な他の裾部材と、を備える。
【０００８】
また、本考案に係るペチコートは、前記裾部材が、前記ペチコート本体に雌雄スナップで取り付けられている。
【考案の効果】
【０００９】
本考案によると、１枚のペチコート本体に異なる長さや異なるデザインの裾部材を取り付けることができる。これにより、ペチコート全体の丈を容易に調整でき、裾側のデザインを容易に変更できる。
【図面の簡単な説明】
【００１０】
【図１】本考案に係るペチコートの構成図である。
【図２】ペチコート本体の取付部と、裾部材の取付部を示す図である。
【図３】ペチコート本体、裾部材および他の裾部材の一例を示す図である。
【図４】ペチコート着用時の一例を示す図である。
【考案を実施するための形態】
【００１１】
以下、図１から図４を用いて、本考案の実施の形態について説明する。以下の説明では、ペチコート１を構成する各構成部材の上下方向は、図１の配置を基準する。また、ペチコート１の前後は、ペチコート１を着用した着用者を基準とした前後を言う。また、ペチコート１の裏面は、着用する人の身体に対向する側の面を言い、表面は、その反対側の面を言う。
【００１２】
図１に示すように、本考案に係るペチコート１は、ペチコート本体２と、ペチコート本体２に取り付けられた裾部材３ａと、裾部材３と交換可能な他の裾部材３ａとを備える。ペチコート１は、ペチコート本体２に裾部材３または裾部材３ａを取りつけた状態で着用される。
【００１３】
図１に示すように、ペチコート本体２は、身頃部２１と、ウエスト部２２と、取付部２３とを有する。身頃部２１は、前身頃と後身頃が脇線で縫合されることで、筒状に形成されている。身頃部２１の上側には、周方向の全周にわたってウエスト部２２が縫合されている。また、身頃部２１の裾側の裏面には、周方向の全周にわたって取付部２３が縫合されている。
【００１４】
ウエスト部２２は、周方向に伸縮自在に構成されている。ウエスト部２２は、例えば、ストレッチニットで構成されている。また、ウエスト部２２は、通常のペチコートのウエスト部に比べて、上下幅が大きく作られている。この構成により、ペチコート１を着用したときに、ウエストへの締め付けが分散される。よって、着用者は、ウエストサイズが変化してもペチコート１を楽に着用し続けることができる。
【００１５】
ウエスト部２２の前側は、脇部分から中央に向かって次第に上下幅が大きくなるように構成されている。これにより、ウエストサイズが大きい着用者が着用しても、ウエスト部２２の前側が、腹部を広く覆うことができるため、ペチコート１がずれ落ちることを抑制することができる。なお、図示省略するが、ウエスト部２２の後側の上下幅は一律である。
【００１６】
図２に示すように、取付部２３は、ペチコート本体２の身頃部２１に縫合されたテープ状のテープ部材２４と、テープ部材２４に縫合された雄スナップ２５とで構成されている。テープ部材２４は、身頃部２１の裾側の裏面に全周にわたって縫合されている。雄スナップ２５は、テープ部材２４上に所定の間隔をあけて配置されている。この雄スナップ２５と、後述する裾部材３に設けられた雌スナップ３４が連結されて、ペチコート本体２に裾部材３が取り付けられている。
【００１７】
裾部材３は、ペチコート１の裾側を構成する部材である。裾部材３は、裾部材本体３１と、取付部３２とを有する。裾部材本体３１は、筒状に形成されている。裾部材本体３１の上端側の表面には、周方向の全周にわたって取付部３２が縫合されている。裾部材３の取付部３２と、ペチコート本体２の取付部２３とが連結されることで、ペチコート本体２に裾部材３が取り付けられる。
【００１８】
取付部３２は、裾部材本体３１に縫合されたテープ状のテープ部材３３と、テープ部材３３に縫合された雌スナップ３４とで構成されている。テープ部材３３は、ペチコート本体２のテープ部材２４と同じ長さを有する。テープ部材３３は、裾部材本体３１の裾側の表面に全周にわたって縫合されている。雌スナップ３４は、テープ部材３３上において、雄スナップ２５に対向する位置に配置されている。既述のように、この雌スナップ３４と、ペチコート本体２に設けられた雄スナップ２５が連結されて、裾部材３がペチコート本体２に取り付けられている。
【００１９】
このように、ペチコート本体２と裾部材３とは、雌雄スナップによって連結されるため、ペチコート１では、ペチコート本体２と裾部材３とを容易に連結または分離することができる。
【００２０】
裾部材３ａは、裾部材３と交換可能な裾部材である。裾部材３ａは、裾部材３と同様に、裾部材本体３１ａと、取付部３２ａと、を有する。裾部材３ａの取付部３２ａの構成は、裾部材３の取付部３２の構成と同様であるため、説明を省略する。裾部材３ａの裾部材本体３１ａは、裾部材３の裾部材本体３１と、材質、色、上下方向の長さ、デザインなどが異なる。
【００２１】
図３に、ペチコート本体１、裾部材３および他の裾部材３ａの一例を示す。この例では、裾部材３は、ペチコート本体２と同じ材質である。一方、裾部材３ａは、レースで構成されている。これにより、着用者は、ペチコート１の裾部分をレースに交換することができる。
【００２２】
このように、ペチコート１では、裾部材３が雌雄スナップで連結されるとともに、あらかじめ交換可能な他の裾部材３ａが備えられているため、裾部分を容易に変更することができる。すなわち、ペチコート１では、１枚のペチコート本体２に対して、裾側のデザインを容易に変更することができる。
【００２３】
また、ペチコート１では、図４に示すように、アウターウェアであるスカートＡよりも、丈を長くすることもできるため、裾部材３をスカートＡの下側から露出させて使用する用途でも使用可能である。したがって、ペチコート１では、１枚のペチコートで、丈や裾のデザインを容易に変更可能な構成を提供することができる。
【００２４】
なお、本考案は上記実施形態に限定されるものではなく、その他種々の態様で実施可能である。例えば、本考案は、スリップ等の他のインナーウェアや、スカート等のアウターウェアに適用してもよい。
【符号の説明】
【００２５】
１  ペチコート
２  ペチコート本体
２１  身頃部
２２  ウエスト部
２３  取付部
２５  雄スナップ
３  裾部材
３１  裾部材本体
３２  取付部
３４  雌スナップ
【図１】
0003225971.tif 000003
【図２】
0003225971.tif 000004
【図３】
0003225971.tif 000005
【図４】
0003225971.tif 000006
【手続補正書】
【提出日】令和2年2月10日(2020.2.10)
【手続補正１】
【補正対象書類名】実用新案登録請求の範囲
【補正対象項目名】全文
【補正方法】変更
【補正の内容】
【実用新案登録請求の範囲】
【請求項１】
ペチコート本体と、
前記ペチコート本体の裾側に取り付けられた裾部材と、
前記裾部材と交換可能な他の裾部材と、を備え、
前記裾部材は、前記ペチコート本体に雌雄スナップで取り付けられている、
ペチコート。